Podtech/llm-jp-corpus-v4-ja_patent huggingface dataset:
(57)【要約】      （修正有）【課題】ファイリングに於いて、書面の孔の周縁部に補修・補強用のパッチシールを貼り付ける作業が簡単で位置決めも容易で正確な位置に貼り付けられる貼り付け装置を提供する。【解決手段】台板１の上面に直立する２本のガイドピンと、このガイドピンに近いコーナー部に被貼り付け書面４のはみ出しをなくすストッパーを併設する。このガイドピン２の外径は、被貼り付け書面４の孔４Ａの内径より僅かに小さくし、その間隔は、同一にする。この装置により被貼り付け書面４が固定されることで位置決めが容易となりパッチシール５を指先に挟んでガイドピン２に沿わせて挿入することで手振れ無く簡単に貼り付けられる。【選択図】図２
0003205288.tif 000002
【実用新案登録請求の範囲】
【請求項１】
台板に直立する２本のガイドピン２で構成され、ファイリング用に設けられた２つのパンチング孔に創通でき、その間隔が同一の２本のガイドピンを設けたことを特徴とする貼り付け装置。
【請求項２】
ガイドピン２の近傍のコーナー部にストッパー３を設けたことを特徴とする請求項１に記載した貼り付け装置。
【考案の詳細な説明】
【技術分野】
【０００１】本考案は、手作業でパッチシールを書面に開けられた孔の周縁部に貼り付けを容易かつ正確な位置にできる装置に関する。
【技術背景】
【０００２】書面の保存・管理・維持は、書面の縁にパンチで孔を開け、その孔に綴じ紐及びバインダー等に装着することで行われている。この孔の縁が破損・亀裂が生じ易く補修・補強にパッチシールが使用されている。ところが粘着剤を塗布したパッチシールを被貼り付け書面に貼り付ける位置決めが困難で正確な位置に設定しにくく時間と手間が掛かり過ぎることが指摘されている。
【０００３】この改善策として、被貼り付け書面と貼り付けパッチシールを手振れ無く容易に一体化する方法が考えられる。
【先行技術文献】
【特許文献】
【０００４】実用新案登録第３０７６５２４号広報
実用新案登録３１７５９５０号広報
特開２００２−１７２８８４号広報
特解２００５−２９７５２１号広報
【考案の概要】
【本案が解決しようとする課題】
【０００５】従来から貼り付け作業は、手作業で被貼り付け書面に開けられた孔にパッチシールを貼り付けることで実用に供されている。この作業は、一般的に次の方法で行われている。
１指先に貼り付けパッチシールを挟み被貼り付け書面の孔の周縁部に貼り付ける。
２実用新案登録第３０７６５２４号のＣ字形ビニールパッチ装置
３実用新案登録第３１７５９５０号のパンチ孔補修・補強用パッチ貼り付け台紙及びパンチ孔補修・補強用パッチ貼り付け台紙収納器
４特開２００２−１７２８８４号の被綴り込み紙の孔の周縁部に対する補強シールの貼り付け装置
５特開２００５−２９７５２１号の貼り付け装置
２〜５は、利点であるが構造上複雑で貼り付けるという目的から鑑みると本考案とは、形態が違い比較できないこととコストの面でも問題である。本考案は、１の方法による。上記１の問題点は、被貼り付け書面に開けられた孔４Ａの周縁部に貼り付けパッチシール５を貼り付ける作業が、目視による手作業のために起こる手振れで正確な位置に設定しにくいことである。このことが、時間と手間を要し作業者の肉体・精神面に多大の負担を及ぼしている。
【課題を解決するための手段】
【０００６】この問題を解決する貼り付け装置の構成は、台板１に直立する２本のガイドピン２を有する。貼り付ける方法は、被貼り付け書面４の孔４Ａをガイドピン２に沿わせて挿入し台板に装着する。次に貼り付けパッチシール下面部の粘着剤部５Ｂを下方向にして沿わせて挿入することで粘着面が被貼り付け書面４に接着、これを搬出することで貼り付けられ、さらにこの接着面を加圧することで強固に接着できる。ガイドピン２に貼り付けパッチシールを挟んだ指先を添えるだけで手振れを解決したことを特徴とする。
【０００７】台板１上面のガイドピン２に近いコーナー部にストッパーパー３を設けることで被貼り付け書面４のはみ出しを無くし安定した位置を形成することを特徴とする。
【考案の効果】
【０００８】本考案により、位置の特定が容易となりガイドピン２に貼り付けパッチシール５を指先に挟んで添えて挿入することで手振れ無く貼り付けが出来る。手振れを解決することで時間と手間及び作業者の肉体・精神面での負担を大幅に軽減できることである。
【図面の簡単な説明】
【０００９】
【図１】本考案を実施するための全体の立面図である。
【図２】本考案を実施するための被貼り付け書面１枚を装着した斜視図である。
【図３】本考案を実施するための貼り付け書面複数枚装着した斜視図である。
【図４】本考案を実施するための被貼り付け書面１枚装着した全体断面図である。
【図５】図４の一部断面図である。
【図６】本考案を実施するための貼り付け書面１枚装着した使用状態図である。
【図７】本考案を実施するための被貼り付け書面複数枚装着した使用状態図である。
【図８】〔０００５〕１の従来の方法によるもので被貼り付け書面４にパンチで開けられた孔４Ａに直接パッチシール５の粘着剤部５の面を下方向になるように指に挟んで貼り付ける使用状態図である。
【考案を実施するための形態】
【００１０】図１に示す本考案の貼り付け装置は、被貼り付け書面４の孔４Ａの周縁部に補強用のパッチシール５を貼り付けるための装置で、台板１に直立する２本のガイドピンと被貼り付け書面４のはみ出し防止のストッパー３で構成される。
【００１１】貼り付け装置は、硬質プラスチックス製や木製等で形成した台板１の上面に直立する金属製や硬質プラスチック製や木製などで形成されたガイドピン２を設ける。このガイドピン２は、被貼り付け書面４の２孔４Ａに創通可能とし。外径をその孔の内径より僅かに小さく、間隔は同一とする。
【実施例】
【００１２】図６は、１枚の貼り付け書面４をガイドピン２に装着し、パッチシール５の粘着剤部Ｂを下方向に挿入し搬出することで貼り付る使用状態図である。
【実施例】
【００１３】図７は、複数枚の貼り付け書面４をガイドピン２に装着し、実施例１の要領で貼り付け搬出を繰り返すことで連続して貼り付ける使用状態図である。
【符号の説明】１        台板
２        ガイドピン
３        ストッパー
４        被貼り付け書面
４Ａ      被貼り付け書面の孔
５        パッチシール
５Ａ      パッチシールの孔
５Ｂ      粘着剤部
【図１】
0003205288.tif 000003
【図２】
0003205288.tif 000004
【図３】
0003205288.tif 000005
【図４】
0003205288.tif 000006
【図５】
0003205288.tif 000007
【図６】
0003205288.tif 000008
【図７】
0003205288.tif 000009
【図８】
0003205288.tif 000010
(57)【要約】      （修正有）【課題】薬使用者の飲み忘れ飲み間違えを防ぎ、介護者の負担を軽減し、旅行・出張、また予想される災害に備え、複数日の薬を用意出来る薬入れ容器を提供する。【解決手段】箱型のプラスチック容器で、錠剤・カプセル錠を包装紙から取り出し、薬収納部３ａ〜３ｄの蓋２、２ａ〜２ｃを開き薬の出し入れができる。蓋２、２ａ〜２ｃは透明で薬収納部３ａ〜３ｄの中が確認出来、介護者及び使用者が安心して使用できる。薬収納部３ａ〜３ｄの間には隔離版４で仕切られており、その中間には乾燥剤収納部５ａ、５ｂを設け、薬の効能を所定機関（約１ケ月）確保する事の出来る便利な薬入れ容器。【選択図】図１
0003205284.tif 000002
【実用新案登録請求の範囲】
【請求項１】
薬を収納する薬収納部を複数備えた、箱型状の薬入れ容器に、あって、薬入れ容器は、その一方の側面に、凸状の係止部が設けられると共に、他方の側面には、前記凸状の係止ぶを受け入れて係止する係合部が、設けられている事を特徴とする、薬入れ容器。
【請求項２】
前記薬入れ容器は、ヒンジ部材を介して、二つの薬収納部が重ね合わされて、構成されている事を、特徴とする請求項１記載の、薬入れ容器。
【請求項３】
前記薬収納部が、重ね合わされる部分に、乾燥剤収納部が形成されされている事を特徴とする請求項２記載の薬入れ容器。
【請求項４】
前記薬入れ容器は、一方の側面の周縁部に凹部が形成され、他方の側面に前記凹部にはまり込む凸部が、形成されている事を特徴とする請求項１ないし３のいずれか１項記載の薬入れ容器。
【請求項５】
前記薬収納部と、前記乾燥剤収納部との間には、仕切部材が設けられており仕切部材は、両者を連通する通気孔が設けられている事を特徴とする請求項１ないし４のいずれか１項記載の薬入れ容器。
【考案の詳細な説明】
【技術分野】
【０００１】本考案は薬収納部を仕切板で仕切られた乾燥部を設け、所定の期間（約１ヶ月）包装紙より取り出した薬の劣化を防ぐ、薬入れ容器。
【背景技術】
【０００２】介護を必要とする人、及び旅行・出張・災害等で家を離れる人の常備薬を携帯することが出来る。
【考案の概要】
【考案を解決しようとする課題】
【０００３】薬を服用する人の飲み間違え、飲み忘れを防ぎ、旅行・出張等での外出時、又予想される災害時に対応する事の出来る薬入れ容器。
【問題を解決するための手段】
【０００４】本体に１日分（朝・昼・夕・寝る前）４ヶ所に薬収納部を設けその上下の中間に乾燥剤収納部を用意し、薬を所定期間（約１ヶ月）保存出来安心して使用できる。
【考案の効果】
【０００５】薬を必要とする人が、必要分を家族及び介護人等に用意された薬入れ容器内の薬を、服用する事が出来る。
容器内の蓋は透明な樹脂で出来、その蓋に〔朝・昼・夕・寝る前〕の名称を印刷した透明な用紙を貼ることで、薬入収納部の中が介護者、服用者に確認出来、安心して使用する事の出来る薬入れ容器。
【図面の簡単な説明】
【０００６】
【図１】  本考案の実施例を示す全体図。
【図２】  薬収納部の蓋を開いた状態。
【図３】  図２のＡ−Ａの断面図。
【図４】  図２のＢ−Ｂ、薬収納部上下で分離させた分解断面図
【図５】  本体の係合の拡大図。
【図６】  本体を重ね合わせる前の状態図。
【考案を実施する為の形態】
【０００７】本考案の実施例について、図面に基ずいて説明する。
薬入れ容器１Ａは、箱型状に形成されている。そしてこの薬入れ容器１Ａは、四角状の第１容器体１ａと該第１容器体１ａと同型状で第１容器体１の側部にヒンジ部材９とで連結された第２容器体１ｂとで構成される。このように構成され薬入れ容器は、複数（１Ａ，１Ｂ，１Ｃ，１Ｄ・・）設けられている。
【０００８】第１容器体１ａと第２容器体１ｂをヒンジ部を介して重ね、一つの薬入れ容器が出来あがる。
第１容器体１ａには、薬を収容する第１収納部３ａと第２収納部３ｂがある。第２容器体には薬を収容する第３収容部３ｃと第４収容部３ｄがある。
【０００９】薬入れ容器のヒンジ部９が設けられている側面には、凹状の係止部６が設けられている。そしてその反対側の側面には、凸状の係合部７が設けられてある。
【００１０】薬入れ容器１Ａ及び薬入れ容器１Ｂの係合は薬入れ容器１Ａの凹状の係止部６に、薬入れ容器１Ｂの凸状の係合部７を直角に差し込み、左右９０度回転する事により、薬入れ容器１Ａと薬入れ容器１Ｂが係合される。
【００１１】前記係合に於いて空転を防ぐ為、薬入れ容器１Ａの係止部６側に凹１１、及び薬入れ容器１Ｂ係合部７側に凸部１２がある。これにより係合した薬入れ容器１Ａと薬入れ容器１Ｂが平行に一体となる。
【００１２】この作業を繰り返す事によって、薬入れ容器１ｂと薬入れ容器１ｃ及び薬入れ容器１ｄとが係合される。これによって複数の薬入れ容器が一帯となる。又薬入れ容器は前記係合部７に於いて３６０度回転できる。
【００１３】第１収納部１ａ及び第２収納部１ｂをヒンジ部９を介して、第３収納部１ｃ及び第４収納部１ｄを開く事により、乾燥剤を交換できる。
【００１４】乾燥剤収納部５は、薬収納部１ａ、１ｂ、１ｃ、１ｄそれぞれに設けられてある隔離版４との間に設けられてある。
【００１５】隔離版４は、薬収納部３との流通を確保する為、複数の小さな流通孔１３が設けられている。又この隔離板の薬収納部３側には、錠剤の癒着を防ぐ為の複数の小さな突起物が設けてある。
【００１６】薬収納部３の蓋２は、薬収納部３の上方にありヒンジ部１０を介して上方に開け、薬の出し入れが出来る。
蓋２の前側中央部には、上方に開ける為の爪部がもうけてある。又蓋２の薬収納部３側にも複数の小さな突起物がある。
【００１７】薬収納部３の係合部７には、丸棒７ａの先端に係止部６に入る長方形の角形板７ｂが、又反対側に係合部７の空転を防ぐ為の角形板７ｃとが一体化してある。
【符号の説明】  １  薬入れ容器
２  蓋
３  薬収納部
４  仕切板
５  乾燥剤収納部
６  係止部
７  係合部
８  ストッパー
９  ヒンジ部
１０  蓋のヒンジ部
１１  凹部
１２  凸部
１３  流通孔
１４  爪部
【図１】
0003205284.tif 000003
【図２】
0003205284.tif 000004
【図３】
0003205284.tif 000005
【図４】
0003205284.tif 000006
【図５】
0003205284.tif 000007
【図６】
0003205284.tif 000008
(57)【要約】      （修正有）【課題】本考案は遮蔽布の着脱時に大きな手間と負担がかかるこたつ、又は遮蔽布着脱用の部品や、複雑な加工をせざるを得ないテーブルに対し、着脱が容易かつ簡単で、テーブルに特殊な加工が必要のないテーブル遮蔽布を提供する。【解決手段】天板１と幕板３の隙間を利用し、幕板裏側のつっかえ部５、幕板表側の遮蔽布８をつなぎ、遮蔽布８を固定することを最大の特徴とする。【選択図】図３
0003205293.tif 000002
【実用新案登録請求の範囲】
【請求項１】
テーブル遮蔽布であり、天板と幕板の隙間を通す事のできるつっかえ部、及びつっかえ部と遮蔽布をつなぎ、固定する遮蔽布結合部で構成されているという特徴を持つ、天板と幕板の隙間を利用したテーブル遮蔽布。
【請求項２】
請求項１に記載の遮蔽布であって、つっかえ部及び遮蔽布に遮蔽布結合部のための穴部があいており、天板と幕板の隙間を利用して固定する事ができるテーブル遮蔽布。
【請求項３】
請求項１に記載の遮蔽布であり、つっかえ部穴部があいており、遮蔽布結合部と遮蔽布に連結用の部品が双方についており、天板と幕板の隙間を利用して固定する事ができるテーブル遮蔽布。
【請求項４】
請求項１に記載の遮蔽布であり、つっかえ部穴部があいており、且つ遮蔽布結合部と遮蔽布どちらかに連結用の部品がついており、天板と幕板の隙間を利用して固定する事ができるテーブル遮蔽布。
【考案の詳細な説明】
【技術分野】
【０００１】      本考案はテーブル遮蔽布による。
【背景技術】
【０００２】      従来のテーブル遮蔽布は主にこたつで使われているように、天板と中天板で挟むような形で固定されていた。【０００３】      しかし遮蔽布を取り外しする際、天板を一度移動させなければならないという欠点があった。【０００４】      また天板を移動させずに遮蔽布を固定する方法はテーブルに固定用の部品を取り付けなければいけないという欠点もあった。
【先行技術文献】
【特許文献】
【０００５】
【特許文献１】特開２０１５−１６６６５１  公報
【０００６】
【特許文献２】特開２００７−１９００４０  公報
【考案の概要】
【考案が解決しようとする課題】
【０００７】      本考案は、以上のような従来の欠点を鑑み、テーブル遮蔽布を取り外しする際、天板を移動させる必要なく、尚且つこたつテーブル及び机に固定用の部品を取り付けずに済む、天板と幕板の隙間を利用し固定されたこたつ布団を提供する事を目的とする。
【課題を解決するための手段】
【０００８】      上記目的を達成するために、本考案は幕板裏側のつっかえ部と幕板表側のこたつ布団を、天板と幕板の隙間を通してつなぎ、遮蔽布を固定する。
【考案の効果】
【０００９】      以上の説明から明らかなように、本考案によって次に列挙する効果が得られる。
（１）天板と幕板の隙間を通す事のできる厚さのつっかえ部、及びつっかえ部と遮蔽布をつなぎ、固定する結合部で構成されているので、天板を移動させる必要がなくなる。【００１０】    （２）前記（１）によって遮蔽布を取り付けるための専用の部品を取り付けなくとも、テーブルと遮蔽布を固定できる。【００１１】    （３）上記（１）によって既に市場に販売されている、又は購入されて設置されているテーブルにも、天板と幕板があり、その間に隙間があれば、遮蔽布を追加で固定できる。
【図面の簡単な説明】
【００１２】
【図１】一般的なテーブルの断面図である。
【図２】本考案を実施するための最良のつっかえ部の斜視図である。
【図３】本考案を実施するための最良の形態である遮蔽布固定法の断面図である。
【図４】一般的な遮蔽布を利用したテーブル（こたつ）の断面図である。
【考案を実施するための形態】
【００１３】      以下本考案の実施の形態を図に基づいて説明する。
【実施例１】
【００１４】      図２はつっかえ部の斜視図であって、天板と幕板の隙間を通過させる。【００１５】      図３本考案を実施するための最良の形態である遮蔽布固定法の断面図であって、つっかえ部が天板と幕板の隙間を通過した後、幕板表側に残った部分で遮蔽布を固定している。
【産業上の利用可能性】
【００１６】      本考案は、テーブル遮蔽布を製造する産業で利用される。
【符号の説明】
【００１７】１天板
２天板と幕板間のクッション
３幕板
４脚部
５つっかえ部
６つっかえ部穴部
７遮蔽布結合部
８遮蔽布
９中天板
【図１】
0003205293.tif 000003
【図２】
0003205293.tif 000004
【図３】
0003205293.tif 000005
【図４】
0003205293.tif 000006
(57)【要約】      （修正有）【課題】起こし立て角度を自由に選べて、且つ折畳み止めの機能を有す折畳みミラーを提供する。【解決手段】折畳み展開する背板５と下板６とを備え、背板５にミラー４を取付け、下板６の上面全面を滑り止め面にして、ミラー４を好みの角度にて起こし立てすることができるようにした。【選択図】図３
0003205292.tif 000002
【実用新案登録請求の範囲】
【請求項１】
折畳み展開する背板と下板の背板にミラーを取付け、下板の上面全面を滑り止め面にして、ミラーを好みの角度にて起こし立てすることができるようにしたことを特徴とする折畳みミラー。
【請求項２】
背板と下板の内面に折畳み時に磁着する磁石を挿入した請求項１に記載の折畳みミラー。
【請求項３】
ミラーを磁引性を有す金属の鏡面仕上げにて形成する請求項２に記載の折畳みミラー。
【考案の詳細な説明】
【技術分野】
【０００１】
この考案は折畳みミラー、詳しくはミラーを制限なしに好みの角度に起こし立てすることができて且つミラーを折畳んだときにみだりに展開したりしないようにした折畳みミラーに関するものある。
【背景技術】
【０００２】
この種の折畳みミラーとしては実用新案登録第３１４８９１９号公報がある。この公報は起こし立てしたミラーの前面に拡大用のレンズを取付けることと、ミラーを特定の３角度にて起こし立てするようにしたことを記載している。
【特許文献１】実用新案登録第３１２７３７８号公報
【考案の開示】
【考案が解決しようとする課題】
【０００３】
しかしながら、上記公報はミラーを特定の３角度の起こし立てに限定していて、３角度以外の好みの角度に起こし立てすることができないという課題がある。
また、ミラーを折り畳んだときに何等の止め手段がないために不意に展開したりするという課題がある。
【課題を解決するための手段】
【０００４】
本考案は、ミラーを起こし立てする際に支え台となる下板上に摩擦係数が大きく滑らない、例えば薄いシリコンゴムシートを張設するなどして、ミラーを化粧等に適した好みの角度に起こし立てすることができるようにするとともに、折畳み時に磁着して、不意に展開することがないようにして課題を解決したのである。
【考案の効果】
【０００５】
本考案は、折畳みミラーを制限なく好みの角度にて起こし立てすることができるという効果を生ずる。
【０００６】
折畳んだときに不意に、みだりに展開したりしないという効果を生ずる。
【図面の簡単な説明】
【０００７】
【図１】折畳み状態と、起こし立て状態の１例を示す斜視図
【図２】折畳み状態における部分拡大側断面図
【図３】折畳みミラーを展開した手持ち使用と、自由角度で起こし立てした使用状態２例を鎖線にて示す側面図
【符号の説明】
【０００８】
１は化粧シート
２はシリコンゴムシート
３は折曲部
４はミラー
５は背板
６は下板
７は折畳ミラー
８は背板の屈曲部
９ａ，９ｂは磁石または磁着体
【考案を実施するための最良の形態】
【０００９】
本考案は、折畳み展開する背板と下板からなり、背板にミラーを取付け、このミラーを下板上に自由な角度で起こし立てすることができ、折畳み時に磁着して不意に展開しないようにして折畳みミラーを構成する。
【実施例１】
【００１０】
図１乃至図３は本考案の実施例であって、花模様等を施した化粧シート１とその内面に薄いシリコンゴムシート２を合わせ貼りして且つ２つ折り展開可能とする折曲部３を中間に設けて一半をミラー４取付けの背板５とし、他半を起こし立てミラー４の下端を支え止めする下板６にして折畳みミラー７を形成する。
【００１１】
８はミラー２の起こし立てを可能にするために背板５の中間に設けた屈曲部である。９ａ，９ｂは背板５と下板６のそれぞれの内面に挿入止めしたプラス，マイナスの磁石または磁石と磁着体である。
【００１２】
背板５と下板６は折曲部３を挟んで２つ折りして折畳まれて且つ磁石９ａ，９ｂの磁引止めにより折畳み状態を保って、携帯しやすくする。ミラー４を使用する際は背板５を下板６上から起こし立て展開するのである。ミラー４は起こし立てられて手持ちのままでも使用できる。
【００１３】
卓上などに置いて使用する際は、ミラー４の下端を支える下板６の上面はその全面を滑らないシリコンゴムシート２が張設されていることで、ミラー４は好みの都合のよい角度に制限なしに起こし立てることがきて、化粧等に供することになる。
【００１４】
化粧等を終えて背板５折畳むと、背板５と下板６のそれぞれの内面に挿入止めしたプラス，マイナスの磁石９ａ，９ｂの磁引により磁着止めされるため、不意に展開したりすることがないものとなる。
【００１５】
なお、ミラー４を磁着性を有する金属の鏡面仕上げにて形成するときはミラー４自体が磁着体９ｂとなるので、磁石９ａのみを下板６に挿入止めすることで磁着止めができることになる。
【００１６】
またシリコンゴムシート２は綿布などの滑らない素材にて置きかえることができる。
【産業上の利用可能性】
【００１７】
本考案は、ミラーを３段等の限定された角度に限らず広範な自由角度に起こし立てして化粧等に供すこと、折畳み時の止め手段を有すことで広く利用されるものである。
【図１】
0003205292.tif 000003
【図２】
0003205292.tif 000004
【図３】
0003205292.tif 000005
【手続補正書】
【提出日】平成28年5月17日(2016.5.17)
【手続補正１】
【補正対象書類名】実用新案登録請求の範囲
【補正対象項目名】全文
【補正方法】変更
【補正の内容】
【実用新案登録請求の範囲】
【請求項１】
折畳み展開する背板と下板とを備え、背板にミラーを取付け、下板の上面全面を滑り止め面にして、ミラーを好みの角度にて起こし立てすることができるようにしたことを特徴とする折畳みミラー。
【請求項２】
背板と下板の内面に折畳み時に磁着する磁石を挿入した請求項１に記載の折畳みミラー。
【請求項３】
ミラーを磁引性を有す金属の鏡面仕上げにて形成する請求項２に記載の折畳みミラー。
(57)【要約】      （修正有）【課題】ペン先の紙への引っかかりを軽減し、滑らかな書き味を実現するペン軸を提供する。【解決手段】本考案のペン軸は、ペン先７を取り付ける芯５に弾性を持たせ、空洞の軸部２の内部で完全に固定せず、先筒部１と緩衝材４を有する基底部３でのゆるやかな２点支持により、ペン先の動きや筆圧を吸収、柔らかく滑らかな書き味を実現できる。【選択図】図１
0003205298.tif 000002
【実用新案登録請求の範囲】
【請求項１】
ペン先を取り付ける弾性のある芯と、先筒部と、基底部に緩衝材を有する空洞の軸部からなる、前記ペン先の動き及び筆圧を吸収する効果を有するペン軸。
【請求項２】
前記芯を、前記先筒部と前記基底部の２点でゆるやかに支持することを特徴とする請求項１に記載のペン軸。
【請求項３】
前記ペン軸において、完全に固定されない前記芯が、前記ペン先を取り外す際に引き抜かれないためのストッパーを有することを特徴とする請求項１及び２に記載のペン軸。
【考案の詳細な説明】
【技術分野】
【０００１】本発明は、ペン先を取り付けるペン軸に関するものである。
【背景技術】
【０００２】従来のペン軸は、ペン先の取り付け部がペン軸と一体化し固定されていた。
【考案の概要】
【考案が解決しようとする課題】
【０００３】硬い素材でペン軸に固定されているペン先は、ガリガリと紙を引っかく筆触で、左右や斜め上に動かすと、線が乱れたりインクがはねることがあった。
【課題を解決するための手段】
【０００４】ペン先を取り付ける芯を完全に固定せず、ペン軸内部で弾性を持たせ、ペン先の動きや筆圧を吸収させる。
【考案の効果】
【０００５】ペン先の引っかかりを軽減し、滑らかな書き味を実現する。
【図面の簡単な説明】
【０００６】
【図１】ａ．本発明の実施形態を示す斜視図  ｂ．Ａ−Ａ断面図  ｃ．Ｂ−Ｂ断面図
【図２】従来のペン軸の断面図
【考案を実施するための形態】
【０００７】ペン軸は、ペン先を差し込む先筒部と、基底部にシリコン等の緩衝材を有する空洞の軸部、ペン先の取り付け部から軸の基底部に届く長さの芯で構成される軸対象物である。芯はポリプロピレン等の適宜素材で弾性を持ち、ペン先を取り外す際に引き抜かれないためのストッパーを有する。
【実施例】
【０００８】以下、添付図面に従って一実施例を説明する。ペン先が取り付けられた芯は、前方と基底部の２点で支持されるが、この２点を完全に固定しないことで、ペン先の動きや筆圧を吸収するしなりと緩衝効果を生み出す。【０００９】先筒の穴と、芯の太さはペン先の差し込みと引き抜きがスムーズにできるサイズにする。ここをきつすぎず、ゆるすぎずにしておくことが道具としての扱いやすさと同時に、前方の支持の柔軟さも生む。【０００１０】先筒部から芯が届く基底部までの長さで筆触は変わる。短ければ硬め、長ければ柔らかい筆触となる。芯の弾性の違いによっても書き味に硬軟の差を生じさせられる。
【符号の説明】
【０００１１】    １．先筒部
２．空洞の軸部
３．基底部
４．緩衝材
５．芯
６．ストッパー
７．ペン先
【図１】
0003205298.tif 000003
【図２】
0003205298.tif 000004
(57)【要約】      （修正有）【課題】昇降式ルーフベットの格納時に発生するテントの溢れ出しを規制し、取り扱いの煩わしさを低減し、また、従来の機械式と比べてコストを低減出来る自動車用昇降式ルーフベットを提供する。【解決手段】自動車の屋根上に取り付け、または一体化した昇降式ルーフベット３の布またはテント生地２で拡張時の壁面を覆うテントを格納事の溢れ出しを規制する為に拡張テントの４カ所の隅または２カ所の隅に規制用巻取式紐４を取り付けする。【選択図】図１
0003205291.tif 000002
【実用新案登録請求の範囲】
【請求項１】
自動車の屋根上に取り付け、または一体化した昇降式ルーフベットの拡張時に壁面を覆う拡張テントで格納事の溢れ出しを規制する為に拡張テントの４カ所の隅に規制用巻取式紐を取り付けして格納時のテントの溢れ出しを防止した自動車用昇降式ルーフベット。
【請求項２】
自動車の屋根上に取り付け、または一体化した昇降式ルーフベットで前または後ろおよび側面の片側が大きく拡張する仕様の壁面を覆う拡張テントで格納事の溢れ出しを規制する為に拡張テントの大きく拡張する側の２カ所の隅に規制用巻取式紐を取り付けして格納時のテントの溢れ出しを防止した自動車用昇降式ルーフベット。
【考案の詳細な説明】
【技術分野】
【０００１】  本考案は、自動車の屋根部に取付けられる拡張式ルーフベットに関するものである。
【背景技術】
【０００２】  今までの自動車の屋根上に取り付け、または一体化した昇降式ルーフベットは側面に布またはテントを利用し拡張時に展開し、格納時に側面の布または拡張テントが機械式に折り畳まれてルーフベット上面の屋根型カバーの中に格納する物があった。
【先行技術文献】
【特許文献】
【０００３】
【特許文献１】  特開平８−３２４３２７
【特許文献２】  特開平８−３２４３２８
【特許文献３】  特開２０００−１６８４３１
【考案の概要】
【考案が解決しようとする課題】
【０００４】  今までの自動車の屋根上に取り付け、または一体化した昇降式ルーフベットの布または拡張テントは格納時に溢れ出して手動で上面の屋根型カバーの中に押し込む必要があった。また、拡張テントを内側に折り畳む為の機械式機構はあったが、コストが高い事、拡張テントが内側に折り畳む為に内部のベットマット等の厚さが大きく成約されるなどの問題があった。
【課題を解決するための手段】
【０００５】  自動車の屋根上に取り付け、または一体化した昇降式ルーフベットの布またはテント生地で拡張時の壁面を覆う拡張テントで格納事の溢れ出しを規制する為に拡張テントの４カ所の隅または２カ所の隅に規制用巻取式紐を取り付けする。
【考案の効果】
【０００６】  自動車の屋根上に取り付け、または一体化した昇降式ルーフベットの布またはテント生地で拡張時の壁面を覆う拡張テントで格納事の溢れ出しを規制する為に拡張テントの４カ所の隅または２カ所の隅に規制用巻取式紐を取り付けして格納時のテントの溢れ出しを防止すると同時に内部に折り畳まない事によりベットマットの厚さが確保出来る。また、拡張テントの格納が強制的に行なわれる為に昇降式ルーフベットを油圧または電動による自動化が出来き、従来の折りたたみ機構より大幅にコストダウンが出来る。
【図面の簡単な説明】
【０００７】
【図１】  平行昇降ルーフテントを拡張した状態の斜視図。
【図２】  平行昇降ルーフテントを格納する過程の斜視図。
【図３】  片側昇降ルーフテントを拡張した状態の斜視図。
【図４】  片側昇降ルーフテントを格納する過程の斜視図。
【考案を実施するための形態】
【０００８】    図１を使って説明する。剛性のある昇降ルーフパネル（１）の下に上部が取付けられた外壁を形成する布またはテント生地（２）を剛性のあるルーフベット（３）の上に下部を取付ける。その外壁を形成する布またはテント生地（２）の内側四隅に規制用の巻取式紐（４）をテント生地（２）に取付けられたガイドリング（５）に通してルーフベット（３）の内部に紐巻取装置（６）を取り付けすることで昇降時のテント生地（２）の溢れ出しを規制する昇降式ルーフベット。
【実施例】
【０００９】    図１および図２、図３、図４を使って説明する。図１は平行昇降ルーフ（１）が拡張した状態を示す。図２は平行可動式ルーフ（１）が格納する過程を示し、外壁を形成する布またはテント生地（２）が内側四隅に規制用の巻取式紐（４）が紐巻取装置（６）よって巻き取られ、規制されながら格納する状態を示している。図３は片側昇降ルーフ（１ａ）が拡張した状態を示す。図４は片側昇降ルーフ（１ａ）が格納する過程を示し、外壁を形成する布またはテント生地（２ａ）が内側の大きく開いた２隅に規制用の巻取式紐（４ａ）が紐巻取装置（６ａ）よって巻き取られ、規制されながら格納する状態を示している。
【産業上の利用可能性】
【００１０】    近年、車中泊で旅行する人々が増えている。本考案はより快適な昇降式ルーフベットの格納時に発生するテントの溢れ出しを規制し、取り扱いの煩わしさを低減する。また、従来の機械式と比べてコストを低減出来る。
【符号の説明】
【００１１】１  平行昇降式ルーフパネル
２  平行昇降式ルーフの外壁を形成する布またはテント生地
３  平行昇降式ルーフのルーフベット
４  平行昇降式ルーフのテント規制用の巻取式紐
５  ガイドリング
６  紐巻取装置
１ａ  片側昇降式ルーフパネル
２ａ  片側昇降式ルーフ外壁を形成する布またはテント生地
３ａ  片側昇降式ルーフのルーフベット
４ａ  片側昇降式ルーフのテント規制用の巻取式紐
５ａ  ガイドリング
６ａ  紐巻取装置
【図１】
0003205291.tif 000003
【図２】
0003205291.tif 000004
【図３】
0003205291.tif 000005
【図４】
0003205291.tif 000006
(57)【要約】      （修正有）【課題】歌手のコンサート等で観客が使用する棒状の発光体は今まで持ち運びの際に、棒状の発光体やバッグの中身を傷つけることが多かったため、ファッション性を維持しつつ安全に持ち運びができるペンライトケースを提供する。【解決手段】ペンライトケース１はポリエステル等の生地を所定の大きさに裁断によって形成された袋体１０と、ポリエステル等の生地を所定の大きさに裁断によって形成された袈裟懸け用ショルダーテープ２０を接合具１５に装着し、且つ大腿部用ショルダーテープ３０を接合具１６に装着したものである。袋体１０は棒状の発光体を収納する発光体挿入袋体１３と発光体挿入袋体１３の片面を延長して折り畳み蓋としての役割を果たす袋体蓋部１２によって袋体１０となり、袈裟懸け用ショルダーテープ２０を装着するための接合部１５、大腿部用ショルダーテープ３０を装着するための接合具１６によって形成されるものである。【選択図】図１
0003205295.tif 000002
【実用新案登録請求の範囲】
【請求項１】
二枚の生地の内で構成される袋体であり、背面側の生地が蓋としての役割を果たすことを特徴とするペンライトケース。
【請求項２】
前記袋体の側面に片側二カ所で両側合わせて４カ所の取り外し用の接合具を有し、袈裟懸け用ショルダーテープ２０、大腿部用ショルダーテープ３０を脱着し使用することを特徴とする請求項１に記載のペンライトケース。
【請求項３】
前記袋体の内側を縫製することにより、ペンライト２本が接触することなく収納することを特徴とする請求項１または請求項２に記載のペンライトケース。
【請求項４】
本考案に使用される接合部接合具１５、１６、１７、２１、開閉部分が付いたリング１１、紐部１８、２２の長さを調節する調整具１９、２３は素材をプラスチック素材に限るものを特徴とする請求項２に記載のペンライトケース。
【請求項５】
本考案の蓋部１２の先端は、蓋を閉じた状態では袋体１３の底面部の位置と同じになるもを特徴とする請求項１に記載のペンライトケース。
【考案の詳細な説明】
【技術分野】
【０００１】本考案は、二枚の生地を面ファスナー（１例としてクラレ製のマジックテープ）による脱着式の袋体である。
【背景技術】
【０００２】本考案はコンサート等で観覧客が使用する、特開２０１５−２０４２４６などの棒状の発光体をバッグ等に入れ持ち運ぶ際に、発行体やその他の物を傷つけることがあった。
【先行技術文献】
【特許文献】
【０００３】
【特許文献１】実用新案登録第３１７０８６６号
【考案の概要】
【考案が解決しようとする課題】
【０００４】コンサートなどで観覧客が使用する棒状の発光体をそのままバッグなどに入れると、棒状の発光体を含めバッグ自体やバッグの中身を傷つける可能性がある。
【課題を解決するための手段】
【０００５】本考案は二枚の生地を面ファスナーによる脱着式の袋体に棒状の発光体を収納し肩掛けや太腿部に固定することで、棒状の発光体やバッグまたはバッグの中身などを傷つけるという問題点を解決している。
【考案の効果】
【０００６】上述に加え、棒状の発光体を収納する袋体を縫製により、２本収納することで棒状の発光体自体を傷つけることなくその他衣類やバッグの中身も傷つけることなく使用することができる。
【図面の簡単な説明】
【０００７】
【図１】本考案のペンライトケースの実施例を示す正面及び側面と、取り外しが可能なため分割したそれぞれの正面及び側面図と、袈裟懸け用ショルダーテープ、大腿部用ショルダーテープそれぞれの正面図である。
【図２】本考案のペンライトケースの実施例を示す背面及び開口状態を示す図である。
【考案を実施するための形態】
【０００８】本考案に係るペンライトケース１はポリエステル等の生地を所定の大きさに裁断によって形成された袋体１０と、ポリエステル等の生地を所定の大きさに裁断によって形成された袈裟懸け用ショルダーテープ２０を１５に装着し、且つ大腿部用ショルダーテープ３０を１６に装着したものである。
【０００９】袋体１０は棒状の発光体を収納する１３と１３の片面を延長して折り畳み蓋としての役割を果たす１２によって袋体となり、袈裟懸け用ショルダーテープ２０を装着するための接合部１５、大腿部用ショルダーテープ３０を装着するための接合具１６によって形成されるものである。
【００１０】図２の袋体１背面の開閉部分が付いたリング１１は使用者が使用者の衣服等と脱着するために、ポリエステル等の生地を所定の大きさに裁断した２７により１３に接合されたものである。
【００１１】袈裟懸け用ショルダーテープ２０はポリエステル等の生地を所定の大きさに裁断された１８と、１８の長さを調節するための調整具１９と、１５と脱着するための接合具１７を有するものである。
【００１２】大腿部用ショルダーテープ３０はポリエステル等の生地を所定の大きさに裁断された２２と、２２の長さを調節するための調整具２３と、１６と脱着するための接合具２１を有するものである。
【００１３】図２の袋体１０の面ファスナー２５、２６は１２と１３を簡易的に脱着するためのものである。
【００１４】開口部２８は棒状の発光体を２本挿入するために、１３を縫製部分２４によって形成されたものである。
【００１５】接合具１５は接合具１７により袈裟懸け用ショルダーテープ２０を装着することで、使用者が袈裟懸けに使用することを目的とした部位である。
【００１６】接合具１６は接合部２１により大腿部用ショルダーテープ３０を装着することで、使用者が紐部２２を大腿部に装着し、且つ開閉部分が付いたリング１１を使用者の衣服に装着し使用することを目的とした部位である。
【００１７】本考案における接合具１５、１６、１７、２１開閉部分が付いたリング１１、紐部１８，２２の長さを調節する調整具１９、２３は素材をプラスチック素材に限るものである。
【００１８】上記は本考案のペンライトケースを使用者がコンサート等へ持ち込む際、会場入り口等で金属探知機等による危険物調査の際に使用者が運営再度に注意等をされないことを目的とすることに由来する。
【００１９】なお、本考案における袋部１３、パイピング部１４、紐部１８、２２の素材をポリエステルで説明したが、綿など他の生地を使用することが可能であることは勿論である。
【符号の説明】
【００２０】１    ペンライトケース
１０  袋体
１１  開閉部分が付いたリング
１２  袋体蓋部
１３  袋体棒状の発光体挿入袋体
１４  パイピング部
１５  接合具
１６  接合具
１７  袈裟懸け用ショルダーテープ２０の接合具
１８  袈裟懸け用ショルダーテープ２０紐部
１９  袈裟懸け用ショルダーテープ２０紐部の長さ調整具
２０  袈裟懸け用ショルダーテープ２０
２１  大腿部用ショルダーテープ３０の接合具
２２  大腿部用ショルダーテープ３０の紐部
２３  大腿部用ショルダーテープ３０の紐部長さ調整具
２４  袋体１３を分割するための縫製部
２５  面ファスナー
２６  面ファスナー
２７  開閉部分が付いたリング縫製部
２８  棒状の発光体挿入口
２９  ポリエステル製多目的部材
３０  大腿部用ショルダーテープ
４０  ペンライトホルダー１の背面
５０  袋体１０の蓋部開放状態
６０  袋体４０の側面
【図１】
0003205295.tif 000003
【図２】
0003205295.tif 000004
(57)【要約】      （修正有）【課題】簡単な構造で、組み立てやすく、限られた空間でのプライバシーのスペースを確保する目隠し棒を提供する。【解決手段】生地部１のジュラルミンポール上部２へジョイントレクター６を差し込み、ジョイントレクター６へ中棒４を差し込みジュラルミンポール下部２へゴム底脚５を取り付け固定した。【選択図】図２
0003205297.tif 000002
【実用新案登録請求の範囲】
【請求項１】
（２）ジュラルミンポール上部へ（６）ジョイントレクターを差し込み（６）ジョイントレクターに（４）中棒を差し込んで（２）ジュラルミンポールの下部は（５）ゴム底脚に取り付けて固定した目隠し棒である。
【考案の詳細な説明】
【技術分野】
【０００１】簡単な構造で組み立てやすく限られた空間でのプライバシーのスペース確保
【考案の開示】
【０００２】従来アウトドアーのテントを室内にて使用
【考案が解決しようとする課題】
【０００３】従来テントはアウトドアーのオートキャンプ、ファミリーキャンプ、オールシーズン使用され、この考案は少しの空間でも室内にてプライバシーの保護及びスペースの確保に使用するものである。
【課題を解決するための手段】
【０００４】［２］ジュラルミンポールの上部へ［６］ジョイントレクターを差し込み［６］ジョイントレクターへ［４］中棒を差し込み［２］ジュラルミンポールの下部は［５］ゴム底脚を取り付け固定以上の構造による目隠し棒である。
【考案の効果】
【０００５】プライバシーの保護とスペースの確保
【実施例】
【０００６】以下本考案を実施するための形態について説明
［１］ポリエステル（生地）［２］ジュラルミンポール［３］ファスナー［４］中棒［５］ゴム底脚［６］ジョイントレクター［２］ジュラルミンポールへ［４］中棒［６］ジョイントレクターで取り付け［２］ジュラルミンポールの底の部分を［５］ゴム底脚へ取り付け固定
【図面の簡単な説明】
【０００７】
【図１】目隠し棒じゃん部分を示した平面図である。
【図２】考案した目隠し棒じゃん使用状況をしめす平面図である。
【符号の説明】
【０００８】１  ポリエステル
２  ジュラルミンポール    ８
３  ファスナー
４  中棒                  ８
５  ゴム底脚              ８
６  ジョイントレクター    ８
【図１】
0003205297.tif 000003
【図２】
0003205297.tif 000004
(57)【要約】      （修正有）【課題】ワイン等を視覚的に楽しむ機能を保ちつつ、丈夫かつ装飾の自由度が高い飲料用容器を提供する。【解決手段】上部に液体を入れる器１、下部に脚２をもつ容器であって、上部と下部が別の素材で出来ている飲料用容器であって、上部の接合部３にオネジ状の加工、下部の接合部４にメネジ状の加工を施し、上部接合部３を下部接合部４にねじ込むことにより、上下を接合し、上部の素材がガラス、下部の素材が木である。【選択図】図１
0003205299.tif 000002
【実用新案登録請求の範囲】
【請求項１】
上部に液体を入れる器、下部に脚をもつ容器であって、
上部と下部が別の素材で出来ていることを特徴とする飲料用容器。
【請求項２】
上部の接合部にオネジ状の加工、下部の接合部にメネジ状の加工を施し、上部接合部を下部接合部にねじ込むことにより、上下を接合することを特徴とする請求項１の飲料用容器。
【請求項３】
上部の素材がガラス、下部の素材が木であることを特徴とする請求項１または請求項２の飲料用容器。
【考案の詳細な説明】
【技術分野】
【０００１】本発明は、ワイングラス、カクテルグラス等脚をもつ飲料用容器に関するものである。
【背景技術】
【０００２】  従来、ワインやカクテルなどを入れる飲料用容器には、下部に比較的細長い脚を持つものが多くある。脚には、手の熱がワイン等に伝わるのを防ぐため、器と独立した保持部という役割がある。また容器自体の美的外観を整える役割もある。【０００３】  素材として、ワイン等を味覚や嗅覚だけでなく視覚でも楽しめるよう、大半は脚を含めて透明なガラス製である。
【考案の概要】
【考案が解決しようとする課題】
【０００４】  ガラス製の足は破損しやすいという欠点がある。またガラスへの装飾方法は限られており、容器自体の外観で付加価値をあげるには限界がある。【０００５】  本考案は上記点に着目してなされたものであり、ワイン等を視覚的に楽しむ機能を保ちつつ、丈夫かつ容器への装飾の自由度が高い容器を提供するものである。
【課題を解決するための手段】
【０００６】  上部に液体を入れる器、下部に脚をもつ容器であって、上部と下部が別の素材で出来ていることを特徴とする飲料用容器。
【考案の効果】
【０００７】  上下それぞれ別の素材にすることにより、ワイン等を視覚的にも楽しむという機能を保ちつつ、脚には丈夫かつ装飾の自由度が高い素材を選択することができる。
上部の接合部にオネジ状の加工、下部の接合部にメネジ状の加工を施し、上部接合部を下部接合部にねじ込むことにより上下を接合することで、より強度が高くかつ装飾の自由度が高い飲料用容器となる。
【図面の簡単な説明】
【０００８】
【図１】本発明の断面図（上下を分離した状態）
【図２】本発明の断面図（上下を接合した状態）
【考案を実施するための形態】
【０００９】  上部は透明な素材が望ましく、ガラスやアクリル・ポリカーボネイト等の合成樹脂があげられる。一般的に用いられているガラスが最適である。
【００１０】  下部の素材として木や漆（乾漆）、合成樹脂、磁器、陶器等があげられる。木製とした場合、ガラスよりも衝撃に強く、かつ彫刻や蒔絵等ガラスには施し難い装飾が可能となり、飲料容器に大きな付加価値を付けることができる。
【００１１】  上部の接合部をオネジ状に、下部の接合部をメネジ状に加工することにより、飲料容器の使用者も上下の着脱が可能となる。下部を複数種類用意することにより、使用者が様々な外観を選ぶことができる。
また接合部に接着剤を使用することにより、上下の分離はできなくなるが、より強度の高い接合が可能となる。
【符号の説明】
【００１２】  １  ワイン等の飲料を入れる器（上部）
２  脚（下部）
３  上部接合部
４  下部接合部
【図１】
0003205299.tif 000003
【図２】
0003205299.tif 000004
(57)【要約】      （修正有）【課題】両フイルムの通過する高さを、自由に調整設定することができる瞬間熱接着装置を提供する。【解決手段】長尺第一フイルムの加工終了後、長尺第二フイルムを繋いで、再度加工を行うために、第一フイルムと第二フイルムを瞬間熱接着にて繋ぎ合わせる瞬間熱接着装置であって、第一フイルムと第二フイルムとをプレスするための、電気発熱線６を備えたプレス受け台４と、プレス部３とを有し、上記第一フイルムと第二フイルムの通過する高さ５を自由に調整設定することができる手段を有する。【選択図】図１
0003205226.tif 000002
【実用新案登録請求の範囲】
【請求項１】
本考案は、長尺第一フイルムの加工終了後、長尺第二フイルムを繋いで、再度加工を行うために、第一フイルムと第二フイルムを瞬間熱接着にて繋ぎ合わせる装置において、
第一フイルムと第二フイルムを瞬間熱接着を行う装置は、プレス受け台と、プレス部によつて、前記両フイルムをプレスする。プレス受け台に電気発熱線を用い、プレス時に通電発熱させ、一定の通電発熱時間において、熱接着を行う。熱接着が終わると、通電発熱を停止して、前記両フイルム熱接着部を冷却する時間を設け、冷却後プレスを解除する。瞬間熱接着装置は、上記両フイルムの通過する高さに、自由に調整設定することができる。上記一体の瞬間熱接着装置の考案である。
【考案の詳細な説明】
【考案の詳細な説明】
【技術分野】
【０００１】  第一フイルムと第二フイルムを瞬間熱接着装置に関する【０００２】
【考案の開示】
【考案が解決しようとする課題】
【０００３】  長尺第一フイルムの加工終了後、長尺第二フイルムを繋いで、再度加工を行うために、第一フイルムと第二フイルムを繋ぎ合わせる時に、粘着テープ、その他の接着工具を用いている。【０００４】    第一フイルムと第二フイルムを加工時に繋ぎ部が離れることがある。【０００５】    第一フイルムと第二フイルムを全幅方向に繋ぐことが出来ない。【０００６】    第一フイルムと第二フイルムを正確に繋ぐ事が出来ない。
【考案が解決するための手段】
【０００７】    第一フイルムと第二フイルムを瞬間熱接着を行う。
【０００８】  第一フイルムと第二フイルムの瞬間熱接着装置は、受け台と、プレス部によつて、前記両フイルムをプレスする。プレス受け台に電気発熱線を用い、プレス時に通電発熱させ、一定の通電発熱時間において、熱接着を行う。
【０００９】  熱接着が終わると、通電発熱を停止して、前記両フイルム熱接着部を冷却する時間を設け、冷却後プレスを解除する。瞬間熱接着装置。
【００１０】  上記両フイルムの通過する高さを、自由に調整設定することができる。上記一体の瞬間熱接着装置の手段である。
【考案の効果】
【産業上の利用可能性】
【００１１】  本考案の瞬間熱接着装置は、自動包装機械、自動巻取り機械、スリッター、自動製袋機械等の長尺フイルムの供給時の繋ぎ装置である。【００１２】  長尺第一フイルムの加工終了後、長尺第二フイルムを繋いで、再度加工を行うために、第一フイルムと第二フイルムを繋ぎ合わせる時に、粘着テープ、その他の接着工具を用いることなく繋ぐことができる。【００１３】  第一フイルムと第二フイルムを加工時に繋ぎ部を瞬間熱接着によって、接着する。【００１４】    第一フイルムと第二フイルムを正確に繋ぐ事が出来きる。【００１５】    第一フイルムと第二フイルムを幅方向全体に繋ぐことが出来る。
【考案の実施するための最良の形態】
【００１６】  本考案の実施の形態を図面を参照しながら詳細に説明する。なお、以下の説明にあたって、同一構成要件については、同一符号を付けて、重複した説明を省略する。
【００１７】  本考案は、長尺第一フイルム１の加工終了後、長尺第二フイルム２を繋いで、再度加工を行うために、第一フイルム１と第二フイルム２を瞬間熱接着繋ぎ合わせる装置である。
【００１８】  第一フイルム１と第二フイルム２を瞬間熱接着を行う装置は、プレス部３と、プレス受け台４によつて、前記両フイルムをプレスする。
【００１９】  プレス受け台４に電気発熱線６を用い、プレス時に通電発熱させ、一定の通電発熱時間において、熱接着を行う。熱接着が終わると、通電発熱を停止して、前記両フイルム熱接着部を冷却する時間を設る。
【００２０】  冷却後プレスを解除する。
【００２１】  瞬間熱接着装置は、上記両フイルムの通過する高５さに、自由に調整設定することができる。上記一体の瞬間熱接着装置の考案である。
【００２２】  本考案に係る瞬間熱接着装置は、上記考案の全体に関する考案でって、前述した実施形態に限定されるものではない。本考案に係る瞬間熱接着装置の各部の具体的な構成は、変更自在である。
【図面の簡単な説明】
【図１】  本考案に係る一例を示す正面図。
【図２】  図１のＸ−Ｘ線に沿う要部断面図。
【図３】  図２の実施状態を示す腰部棚面図。
【符号の説明】    １  第一フイルム
２  第二フイルム
３  プレス部
４  プレス受け台
５  フイルム通過高さを調整範囲
６  電気発熱線
【図１】
0003205226.tif 000003
【図２】
0003205226.tif 000004
【図３】
0003205226.tif 000005
【手続補正書】
【提出日】平成28年4月8日(2016.4.8)
【手続補正１】
【補正対象書類名】実用新案登録請求の範囲
【補正対象項目名】全文
【補正方法】変更
【補正の内容】
【実用新案登録請求の範囲】
【請求項１】
長尺第一フイルムの加工終了後、長尺第二フイルムを繋いで、再度加工を行うために、第一フイルムと第二フイルムを瞬間熱接着にて繋ぎ合わせる瞬間熱接着装置であって、
第一フイルムと第二フイルムとをプレスするための、電気発熱線を備えたプレレス受け台と、プレス部とを有し、上記第一フイルムと第二フイルムの通過する高さに自由に調整設定することができる手段を有することを特徴とする、瞬間熱接着装置。